(57)【要約】
【課題】無理のない緊締感と汗の吸収性が良くシルエットの美しい腹巻きを提供すること。
【解決手段】５０〜１００デニールの異形断面形状を有する合成繊維を強撚しヒートセットしたウーリー加工糸を用いて、２２〜２８ゲージの丸編機で腹部と腰部を包むための筒状の腹巻き本体を編成し、開口端部に別の合成繊維を巻き付けてカバーリングしたポリウレタン弾性糸を用いて編成された弾性を有する帯部を一体に設ける。また腹巻き本体の片側の開口端部を２分するように閉じて股間に係止させる係止部を構成する。
【選択図】図１
0003099590.tif 000002
【実用新案登録請求の範囲】
【請求項１】
５０〜１００デニールの異形断面形状を有する合成繊維を強撚しヒートセットしたウーリー加工糸を用いて、２２〜２８ゲージの丸編機で腹部と腰部を包むための筒状の腹巻き本体を編成し、開口端部に別の合成繊維を巻き付けてカバーリングしたポリウレタン弾性糸を用いて編成された弾性を有する帯部を一体に設けた軽量の腹巻き。
【請求項２】
前記の腹巻き本体の片側の開口端部を２分するように閉じて股間に係止させる係止部を構成した請求項１に記載の腹巻き。
【考案の詳細な説明】
【技術分野】
【０００１】
　本考案は、極めて薄い腹巻きとこれに股間に係止するための係止部を一体に構成した軽量の腹巻きに関するものである。
【背景技術】
【０００２】
　腹巻きは腹部を保温することで腸の働きを活性化する目的で使用されるが、保温を目的としてるためかなり厚めの編み地になっている。なかには所要長さの倍の長さの筒状編地を折り返して２重にして用いる腹巻きもある。しかし腹巻きをしてその上に衣類を着る場合は窮屈な状態となり汗ばむことが多い。汗が滞留すると体温を下げるようになるので好ましくない。このような観点から機能性や通気性を考慮した腹巻きが提案されている。機能性を重視した腹巻きとしては肌に接する面と外側に位置する面の構造を変えて、例えば肌に接する面には滑りにくい凹凸面を構成し、外側に滑りやすいプレーンな構成をもたせている。また通気性を強調するものでは吸汗拡散性編地を内側に用いている。腹部または患部を緊締して補強するために、ゴムやポリウレタン弾性糸を編地に介在させるか、製品自体をバンド状にして長さを調整するような構成の腹巻きまたはコルセットなどが提案されている。更に上述したような機能を有する腹巻きに磁石を複数固定し血行を促進させて腰痛に対処する磁気腹巻きに関する提案も多い。しかしながら腹部に緊締感が絶えず感じられるような腹巻きは最初は緊張感が伴って一種の壮快感もあるが、オフィスで長時間椅子に座って事務を行う場合や冷房の効いた環境で作業をする場合は強力な緊締力を有する腹巻きは窮屈に感じられる。また女性にはシルエットを気にする向きもあり既存の腹巻きでは満足できないところがある。本考案はこのような事情に鑑み提案するものであり、先行技術として次の先願が挙げられる。
【特許文献１】特開平２−２１５４７８号公報
【特許文献２】特開平８−１１３８０２号公報
【特許文献３】特開平９−２１７２０２号公報
【特許文献４】特開２００３−１０５６１５号公報
【特許文献５】実用新案登録第３０４２９８６号公報
【考案の開示】
【考案が解決しようとする課題】
【０００３】
　解決しようとする問題点は、無理のない緊締感と汗の吸収性が良くシルエットの美しい腹巻きを提供することである。
【課題を解決するための手段】
【０００４】
　本考案は、腹部と腰部を包む円筒状の編地が異形断面形状を有するポリエステル繊維またはナイロン繊維などの合成繊維を強撚しヒートセットしてウーリー加工糸となし、これを２２〜２８ゲージの丸編機で筒状の編地を編成する。好ましい糸の太さは、５０〜１００デニールのマルチフィラメント糸であり、得られる編地は適度の伸縮性を有しており、経緯方向に１８０％程度の伸度を示す薄い筒状の編地である。糸の太さの下限を５０デニールとしているのは、５０デニールより細いと腹巻きとして保温性が無くなり、また１００デニールより太い場合は通気性が乏しくなり汗の移動が充分に行われない。ナイロン繊維では５０デニール、ポリエステル繊維では７５デニールが下限として好適である。所定の長さ、例えば１５〜２５ｃｍの適宜長さに裁断して腹部と腰部を覆う腹巻き本体を作成する。腹巻き本体の開口端部は形状安定性と腹部装着時に位置が変わりにくいようにするために、腹巻き本体より強い伸縮性を有する帯部を腹巻き本体と一体に編成する。帯部は３０〜７０デニールのウレタン弾性糸に５０乃至７０デニール／４８フィラメントのナイロン糸でカバーリング加工したものを用いてゴム編みを行う。片側の開口端部はニットインすることで無縫製とし他の側は縫製で仕上げて腹巻きを完成させる。腹巻き本体は平編（天竺）がシンプルでよいが他の編み組織も利用できる。更にペレリン編みやタック編みなどにより小さな穴を編成してを柄を構成すると意匠性も高く通気性を向上させることができる。異形断面形状の合成繊維としてはポリエステル糸のテクノファイン（旭化成工業（株）製）が好ましい。この糸は断面形状が略Ｗ型あるいは略Ｃ型を成しており、ウーリー加工した場合には嵩高であり、表面積が広いので汗の移動が容易であり空気中に放出しやすい性質を有している。従って腹部や腰部に編地が密着していても肌はさらさら感があり保温性が向上する。編地が薄いので編地の温度は体温に近く汗の移動と拡散を助長していると思われる。
【０００５】
　また前記の腹巻き本体の片側の開口端部を２分するように閉じて股間に係止させ腹巻きとして使用する際に下腹部と腰部に当接する部分がめくれないようにすることができる。結果として開口端部が片側に２箇所、他の側に１箇所の計３箇所に設けられた腹巻きが提供される。２分された開口端部のそれぞれの端部にフリル等をあしらって意匠性を高めてもよい。伸縮性を有する帯部は腹巻き本体より厚くなるから下腹部や腰部のシルエットは滑らかさを欠くので、股間に片側を係止することでこの欠点を排除することができる。
【考案の効果】
【０００６】
　本考案の腹巻きは、腹部や腰部を覆う腹巻き本体の伸縮性をウーリー加工糸の弾性のみで行っているので、緊締力は穏やかであり、編地を構成する糸が汗の吸収と拡散性に優れた異形断面糸を用いているので肌にさらさら感があり、湿った感覚がないので保温性もよい。特に体形のシルエットを気にする向きには好適である。
【考案を実施するための最良の形態】
【０００７】
　汗の吸収と拡散性のよい異形断面形状を有するフィラメント糸をウーリー加工して弾性をもたせて丸編機で筒状に編成し、腹部を穏やかな弾性力で締める薄い腹巻きを実現した。
【実施例１】
【０００８】
　図１は本考案の一実施例を示す腹巻きの斜視図である。腹巻き１は腹巻き本体２とこれを腹部に定着させるための弾性を有する帯部３ａと３ｂで構成される。腹巻き本体は異形断面形状を有するテクノファイン（商品名、旭化成工業（株）製）の７５ｄ／３０ｆを強撚してヒートセットを施したウーリー加工糸を用いて、口径１３″、針密度２８ゲージの丸編機により筒状の平編地を編成し腹巻き本体２を得た。これに先立ち、ポリウレタン弾性糸３０ｄに５０ｄ／４８ｆのナイロン糸をカバーリングした糸を用いてゴム編みした帯部３ａを長さ５０ｍｍ編成し、これを折り返して端末を機上でニットインし、続けて前出の腹巻き本体を長さ２５ｃｍ編成し、再び帯部ｂを帯部３ａと同様に編成した。反末を折り返して縫製し腹巻き１を完成させた。総重量は２７ｇと軽量であり、帯部と腹巻き本体の重量比は３５対６５重量％である。腹巻き本体２にはタック編みなどによる穴を形成してこれを集合させた柄を構成し、意匠性を高めると共に通気性も適宜箇所に加味することができる。
【実施例２】
【０００９】
　図２は別の実施態様を示す腹巻き１ａを示す。実施例１と同様に先ず弾性を有する帯部３ａを編成し続けて腹巻き本体２ａを長さを４０ｃｍに編成する。帯部３ｂを編成せずに同（ａ）図に示す筒状の編地４を編成して、編機から下ろし、開口端部５を形成する。同（ｂ）図に示すように開口端部５を２分するようにその中央を縫製で縫い合わせ股間にあてがわれる係止部６を形成する。このときに脚部を通しうる様に斜めに切り込んだ開口部７ａと７ｂを縫製加工して股間部に対する係止部を設けた腹巻き１ａを得る。開口部７ａと７ｂにはフリルを付けて意匠性を高めてもよい。腹巻きを装着したとき下腹部はめくれやすいから、股間と脚部に係止することで装着性を向上させる。股間に係止する形状はパンツとして利用することもできる。
【産業上の利用可能性】
【００１０】
　本考案の腹巻きは、軽量で極めて薄く且つ保温性を有することを特徴としており、原材料として吸水・拡散機能を有する異形断面合成繊維をウーリー加工して用いている。従って汗が滞留することが無く肌にさらさらした感触を与えて保温性を維持することができる。ウーリー加工糸の編目は適度の伸縮性を示し腹部や腰部を柔らかく緊締しずれにくく、極めて薄いので体型のシルエットを美しくみせたい人には好適である。更に腰部や腹部に接触する部分に磁石を装着し血行を促進するような機能を付加して健康衣料としても利用できる。
【図面の簡単な説明】
【００１１】
【図１】本考案の腹巻きを示す斜視図である。（実施例１）
【図２】本考案の別の実施態様を示す斜視図であり、（ａ）図は筒状編地を示し、（ｂ）図は係止部を設けた腹巻きを示す。（実施例２）
【符号の説明】
【００１２】
　１　　腹巻き
　２　　腹巻き本体
　３　　帯部
　４　　筒状編地
　５　　開口端部
　６　　係止部
　７　　開口部
【図１】
0003099590.tif 000003
【図２】
0003099590.tif 000004